(57)【要約】【課題】光源の点灯が安定していない期間に放送された画像を表示可能なプロジェクションテレビを提供すること。【解決手段】光源２１６から射出された光束を変調して画像を形成する光変調装置２４１と、画像を拡大投射する投射光学装置と、装置全体を制御する制御手段５と、筐体とを備えたプロジェクションテレビ１は、光源２１６の駆動を制御する光源駆動手段６２と、放送信号に含まれる画像情報を記録する記録手段５７とを備える。制御手段５は、光源駆動手段６２により光源２１６を点灯させる点灯開始信号が出力されたことを検出する点灯開始信号検出部と、点灯開始信号が検出されると、放送信号に含まれる画像情報を記録手段５７に記録させる画像情報記録部と、光源２１６の点灯完了を判定する点灯完了判定部と、光源２１６の点灯が完了したと判定されると、記録手段５７に記録された画像情報を再生して表示させる記録画像再生部とを備える。【選択図】  図３
2006324778.tif 000002
【特許請求の範囲】
【請求項１】
光源と、この光源から射出された光束を変調して、入力する画像情報に応じた画像を形成する光変調装置と、当該光変調装置で形成された光学像を拡大投射する投射光学装置と、装置全体の駆動を制御する制御手段と、これらを内部に収納する筐体とを備えたプロジェクションテレビであって、
前記光源の駆動を制御する光源駆動手段と、放送信号に含まれる画像情報を記録する記録手段とを備え、
前記制御手段は、
前記光源駆動手段により前記光源を点灯させる点灯開始信号が出力されたことを検出する点灯開始信号検出部と、
前記点灯開始信号が検出されると、前記放送信号に含まれる画像情報を前記記録手段に記録させる画像情報記録部と、
前記光源の点灯完了を判定する点灯完了判定部と、
前記光源の点灯が完了したと判定されると、前記記録手段に記録された画像情報を再生して当該画像情報に基づく画像を表示させる記録画像再生部とを備えることを特徴とするプロジェクションテレビ。
【請求項２】
請求項１に記載のプロジェクションテレビにおいて、
前記制御手段は、
前記記録画像再生部による前記記録手段に記録された画像情報の再生を規制する記録画像再生規制部と、
前記記録された画像情報の再生が規制されると、放送中の放送信号に含まれる画像情報に基づく画像を形成させる画像形成切替部とを備えていることを特徴とするプロジェクションテレビ。
【請求項３】
請求項２に記載のプロジェクションテレビにおいて、
前記制御手段に入力操作に応じた操作信号を出力する操作信号出力部を備え、
前記制御手段は、
前記操作信号を検出する操作信号検出部を備え、
前記操作信号が検出されると、前記記録画像再生規制部は、前記記録画像再生部による前記記録手段に記録された画像情報の再生を規制することを特徴とするプロジェクションテレビ。
【請求項４】
請求項２または請求項３に記載のプロジェクションテレビにおいて、
前記記録画像再生部は、
前記記憶手段に記憶された画像情報の時間短縮再生を行う時間短縮再生部を備え、
前記制御手段は、
前記記録手段における前記時間短縮再生部による前記画像情報の再生位置と、前記画像情報記録部による画像情報の記録位置とが一致するか否かを判定する再生位置判定部と、
前記再生位置判定部により一致すると判定されると、前記記録画像再生規制部は、前記時間短縮再生部による画像情報の再生を規制することを特徴とするプロジェクションテレビ。
【請求項５】
請求項２から請求項４のいずれかに記載のプロジェクションテレビにおいて、
前記制御手段は、
前記放送信号から、当該放送信号に含まれる画像情報のコンテンツが変更されたことを検出する変更検出部と、
前記コンテンツの変更が検出されると、当該変更が検出されたタイミングで、前記記録手段に、前記画像情報とともに当該変更があったことを示す変更識別情報を記録する識別情報記録部と、
前記記録画像再生部による前記画像情報の再生の際に、前記変更識別情報を検出する識別情報検出部とを備え、
前記識別情報検出部により前記変更識別情報が検出されると、前記記録画像再生規制部は、前記記録画像再生部による前記記録手段に記録された画像情報の再生を規制することを特徴とするプロジェクションテレビ。
【請求項６】
請求項１から請求項５のいずれかに記載のプロジェクションテレビにおいて、
前記制御手段は、
前記光源駆動手段により前記光源を消灯する光源消灯信号が出力されたことを検出する光源消灯信号検出部を備え、
前記光源消灯信号が検出されると、前記画像情報記録部は、前記放送信号に含まれる画像情報の前記記録手段への記録を開始し、前記点灯開始信号検出部により所定時間経過後に前記点灯開始信号が検出されないと、当該画像情報の記録を終了することを特徴とするプロジェクションテレビ。
【発明の詳細な説明】
【技術分野】
【０００１】
本発明は、光源と、この光源から射出された光束を放送信号に含まれる画像情報に応じて変調して画像を形成する光変調装置と、形成された画像を拡大投射する投射レンズと、前記画像が投影されるスクリーンと、前記光変調装置を含む装置全体を制御する制御手段と、これらを内部に収納する筐体とを備えたプロジェクションテレビに関する。
【背景技術】
【０００２】
近年、家庭内でのホームシアター等の用途として、プロジェクタが普及しつつある。この種のプロジェクタとして、光源と、この光源から射出された光束を変調して、放送信号に含まれる画像情報に応じた画像を形成する液晶パネル等の光変調素子と、形成された画像を拡大投射する投射レンズと、投射レンズからの投射画像としての光束を反射する反射ミラーと、この反射ミラーにより反射された画像が投影される透光性のスクリーンと、装置全体の駆動制御を行う制御基板と、これらを内部に収納する筐体とを備えたリアプロジェクタ型のプロジェクションテレビが知られている。
このようなプロジェクションテレビは、形成された画像が、反射ミラーを介して背面側からスクリーンに投影されるように構成されている。
【０００３】
ところで、このようなプロジェクションテレビは、内部に光源ランプを有しており、当該光源ランプから射出された光束を利用して画像を形成、表示しているので、光源ランプの点灯異常が発生した場合には、正常な画像表示が行えないという問題がある。このため、光源ランプの寿命以外の点灯異常を検出した場合に、当該光源ランプの再点灯を行うようにしたリアプロジェクションテレビが知られている（例えば、特許文献１参照）。
【０００４】
この特許文献１に記載のプロジェクションテレビでは、光源としての放電光源ランプと、当該放電光源ランプの点灯異常を検出するランプ異常検出機構を備えている。そして、光源ランプに高電圧を印加したにも関らず、当該光源ランプの点灯が行われない場合には、ランプ異常検出機構が当該光源ランプの点灯異常を検出する。そして、ランプ異常検出機構により光源ランプの点灯異常が検出されると、光源ランプへの電源供給を一度停止した上で再立ち上げを行い、当該光源ランプの再点灯を行う。これにより、自動的に光源ランプの点灯が再開され、画像を適切に表示することができる。
【０００５】
【特許文献１】特開平９−１３０７００号公報
【発明の開示】
【発明が解決しようとする課題】
【０００６】
しかしながら、特許文献１に記載のプロジェクションテレビでは、光源ランプの点灯が完了していない場合に、放送中の放送信号に含まれる画像情報に応じた画像を形成、表示することができないという問題がある。
すなわち、放電光源を用いたプロジェクションテレビでは、当該放電光源から射出された光束を画像形成に利用しているため、当該放電光源の点灯が安定するまでの期間は、画像形成を行うことができない。このため、使用者は、光源の安定化がなされるまでテレビ放送の視聴を制限されることとなり、見たい場面を見逃す可能性があるという問題がある。
【０００７】
本発明の目的は、光源の点灯が安定していない期間に放送された放送信号に基づく画像を表示可能なプロジェクションテレビを提供することである。
【課題を解決するための手段】
【０００８】
前記した目的を達成するために、本発明のプロジェクションテレビは、光源と、この光源から射出された光束を変調して、入力する画像情報に応じた画像を形成する光変調装置と、当該光変調装置で形成された光学像を拡大投射する投射光学装置と、装置全体の駆動を制御する制御手段と、これらを内部に収納する筐体とを備えたプロジェクションテレビであって、前記光源の駆動を制御する光源駆動手段と、放送信号に含まれる画像情報を記録する記録手段とを備え、前記制御手段は、前記光源駆動手段により前記光源を点灯させる点灯開始信号が出力されたことを検出する点灯開始信号検出部と、前記点灯開始信号が検出されると、前記放送信号に含まれる画像情報を前記記録手段に記録させる画像情報記録部と、前記光源の点灯完了を判定する点灯完了判定部と、前記光源の点灯が完了したと判定されると、前記記録手段に記録された画像情報を再生して当該画像情報に基づく画像を表示させる記録画像再生部とを備えることを特徴とする。
【０００９】
本発明によれば、光源点灯開始時から放送された放送信号に含まれる画像情報が、画像情報記録部により記録手段に記録され、当該記録された画像情報は、光源の点灯が完了した後に、記録画像再生部によって再生されるので、光源の点灯開始時に放送された放送番組を使用者が見逃すことを防ぐことができる。
すなわち、制御手段の点灯開始信号検出部が、光源駆動手段から出力され光源を点灯させる点灯開始信号を検出すると、当該点灯開始信号の検出時点から受信した放送信号に含まれる画像情報が画像情報記録部により記録手段に記録される。また、点灯完了判定部により光源の点灯が完了したことが検出されると、記録画像再生部により、記録手段に記録された画像情報の再生が行われ、当該画像情報に基づく画像が形成表示される。
これによれば、光源の点灯開始時からの放送情報に含まれる画像情報を記録することができ、点灯が完了して画像表示可能となった後に、記録手段に記録された画像情報を再生することができるので、点灯開始時から放送された画像情報に基づく画像を表示することができる。従って、光源の点灯開始時からの放送番組の画像を表示することができ、当該光源点灯開始時に放送された放送番組を、使用者が見逃すことを防ぐことができる。
【００１０】
本発明では、前記制御手段は、前記記録画像再生部による前記記録手段に記録された画像情報の再生を規制する記録画像再生規制部と、前記記録された画像情報の再生が規制されると、放送中の放送信号に含まれる画像情報に基づく画像を形成させる画像形成切替部とを備えていることが好ましい。
本発明によれば、記録手段に記録された画像情報に基づく画像の表示と、現在放送中の放送信号に含まれる画像情報に基づく画像の表示とを切り替えることができる。
すなわち、記録画像再生部による記録された画像情報の再生が、記録画像再生規制部により規制されると、画像形成切替部により、記録手段に記録された画像情報に基づく画像の表示から、現在放送中の放送信号に含まれる画像情報に基づく画像の表示に切り替えられる。これによれば、記録された画像情報の再生が不要な場合に、現在放送中の放送信号の画像情報に基づく画像表示に切り替えることができる。従って、光源の点灯開始時点から、当該光源の点灯完了により画像表示可能となった時点までの放送コンテンツの表示遅れを解消することができる。
【００１１】
本発明では、前記制御手段に入力操作に応じた操作信号を出力する操作信号出力部を備え、前記制御手段は、前記操作信号を検出する操作信号検出部を備え、前記操作信号が検出されると、前記記録画像再生規制部は、前記記録画像再生部による前記記録手段に記録された画像情報の再生を規制することが好ましい。
本発明によれば、使用者の入力操作に応じて操作信号出力部により出力される操作信号を、操作信号検出部が検出し、当該操作信号の出力を検出した場合に、記録画像再生規制部が、記録画像再生部による画像情報の再生を規制する。これによれば、使用者の所望のタイミングで、記録された画像情報に基づく画像の表示から、放送中の放送信号に含まれる画像情報に基づく画像の表示に切り替えることができる。従って、使用者の操作に応じた画像表示を行うことができる。
【００１２】
本発明では、前記記録画像再生部は、前記記憶手段に記憶された画像情報の時間短縮再生を行う時間短縮再生部を備え、前記制御手段は、前記記録手段における前記時間短縮再生部による前記画像情報の再生位置と、前記画像情報記録部による画像情報の記録位置とが一致するか否かを判定する再生位置判定部と、前記再生位置判定部により一致すると判定されると、前記記録画像再生規制部は、前記時間短縮再生部による画像情報の再生を規制することが好ましい。
本発明によれば、記録手段における再生位置と記録位置とが一致するまで、記録された画像情報を時間短縮再生することにより、当該記録された画像情報を略全て再生することができるとともに、現在放送中の放送信号に含まれる画像情報に基づく画像の表示を確実に行うことができる。
【００１３】
すなわち、時間短縮再生部により、記録手段に記録された画像情報の時間短縮再生が行われ、この時間短縮再生が行われている間に、再生位置判定部により、当該時間短縮再生部による再生位置と、前述の画像情報記録部による記録位置との位置関係が判定される。そして、それぞれの位置が一致すると判定されると、記録画像再生規制部により、時間短縮再生部による時間短縮再生が規制され、現在放送中の放送信号に含まれる画像情報に基づく画像の表示が行われる。
これによれば、記録手段に記録された画像情報を再生表示した上で、現在放送中の放送信号に含まれる画像情報に基づく画像を表示することができる。従って、使用者が、光源点灯開始後に放送された放送信号の画像情報に基づく画像を見逃すことをより一層防止することができる。
【００１４】
本発明では、前記制御手段は、前記放送信号から、当該放送信号に含まれる画像情報のコンテンツが変更されたことを検出する変更検出部と、前記コンテンツの変更が検出されると、当該変更が検出されたタイミングで、前記記録手段に、前記画像情報とともに当該変更があったことを示す変更識別情報を記録する識別情報記録部と、前記記録画像再生部による前記画像情報の再生の際に、前記変更識別情報を検出する識別情報検出部とを備え、前記識別情報検出部により前記変更識別情報が検出されると、前記記録画像再生規制部は、前記記録画像再生部による前記記録手段に記録された画像情報の再生を規制することが好ましい。
【００１５】
ここで、コンテンツとは、放送番組の内容を示しており、テレビ番組およびコマーシャル等を例示することができる。
本発明によれば、記録された画像情報のコンテンツ変更に伴って、当該記録された画像情報に基づく画像表示から、現在放送中の放送信号に含まれる画像情報に基づく画像表示に切り替えることができる。
すなわち、変更検出部により、放送信号に含まれる画像情報のコンテンツ変更が検出されると、当該コンテンツ変更が検出されたタイミングで、受信した画像情報のコンテンツが変更されたことを示す変更識別情報が記録手段に記録される。これにより、前述の画像情報記録部によって記録される画像情報との同期を取ることができる。また、この変更識別情報は、記録画像再生部により、記録された画像情報が再生される際に、識別情報検出部により記録手段から読み込まれて検出される。そして、当該変更識別情報が検出されると、記録画像再生規制部により、記録画像再生部による画像情報再生が規制され、現在放送中の放送信号に含まれる画像情報に基づく画像の表示が行われる。
これによれば、記録した画像情報のコンテンツに変更が検出された場合に、当該コンテンツ変更のタイミングで放送信号に基づく画像に表示を切り替えることができる。従って、使用者が所望する現在放送中の放送信号に含まれる画像情報に基づく画像表示に、迅速に復帰することができる。
【００１６】
本発明では、前記制御手段は、前記光源駆動手段により前記光源を消灯する光源消灯信号が出力されたことを検出する光源消灯信号検出部を備え、前記光源消灯信号が検出されると、前記画像情報記録部は、前記放送信号に含まれる画像情報の前記記録手段への記録を開始し、前記点灯開始信号検出部により所定時間経過後に前記点灯開始信号が検出されないと、当該画像情報の記録を終了することが好ましい。
本発明によれば、光源消灯信号検出部により、光源駆動手段から光源を消灯する光源消灯信号が検出されると、画像情報記録部による画像情報の記録が開始される。この画像情報の記録は、点灯開始信号検出部により光源駆動手段からの点灯開始信号が所定時間経過後に検出されないと終了する。ここで、所定時間は、例えば、光源の冷却が完了するまでの時間に、必要に応じて余裕となる時間を加算した時間とすることができる。これによれば、光源の消灯時においても、放送信号に含まれる画像情報を記録しておくことにより、多少の時間を要する光源再点灯があった場合でも、使用者が所望する放送番組を見逃すことを防ぐことができる。
【００１７】
ここで、光源として放電光源が用いられている場合には、一度消灯した光源を、あまり時間を空けずに再点灯させる場合、いったん光源の状態を安定化した後に点灯を開始させる必要がある。このため、光源再点灯時には、消灯安定化した光源を点灯する場合に比べ、より多くの時間が必要となる。このような問題に対し、光源が消灯されてから放送された放送信号に含まれる画像情報を記録しておくことにより、光源再点灯に要する時間分を補って画像情報を記録しておくことができる。
従って、時間がかかる光源再点灯時においても、使用者が所望する放送信号に含まれる画像情報に基づく画像、すなわち、放送番組を見逃すことを防ぐことができる。
【発明を実施するための最良の形態】
【００１８】
以下、本発明の一実施形態を図面に基づいて説明する。
（１）プロジェクションテレビ１の概略構成
図１は、本実施形態に係るプロジェクションテレビ１の縦断面図である。
プロジェクションテレビ１は、放送信号等に含まれる画像情報に基づく画像を形成し、当該形成した画像を、プロジェクションテレビ１に設けられたスクリーン４上に拡大投射するものである。
このプロジェクションテレビ１は、図１に示すように、入力する画像情報に応じて光学像を形成、投射する光学ユニット２と、当該光学ユニット２により形成された光学像としての光束が入射する反射ミラー３と、当該反射ミラー３によって反射された光束である光学像が投影されるスクリーン４と、装置全体を制御する制御基板５（図３参照）と、これらに駆動電力を供給する電源ユニット（図示省略）と、これらを内部に収納する筐体７とを備えて構成されている。
【００１９】
このうち、筐体７は、合成樹脂等により形成され、光学ユニット２を収納する下部筐体７１と、反射ミラー３およびスクリーン４を収納する上部筐体７２とによって構成され、これらがねじ等によって互いに固定されている。
反射ミラー３は一般的なミラーであり、上部筐体７２の背面側に傾斜して取り付けられている。この反射ミラー３のスクリーン４に対する傾斜角は、正面側に取り付けられるスクリーン４と後述する光学ユニット２（図２）の投射レンズ２５（図２）による映像の反射との設定された位置関係に基づいて設定されている。
スクリーン４は、フレネルシート、レンチキュラーシート、保護板等にて構成でき、投射レンズ２５から射出され反射ミラー３で反射された光束は、フレネルシートで平行化され、レンチキュラーシートによって拡散され、表示画像が得られる。
【００２０】
（２）光学ユニット２の構成
光学ユニット２は、光源装置２１１を構成する光源ランプ２１６から射出された光束を光学的に処理して画像情報に対応した光学像を形成し、この光学像を拡大投射するユニットである。この光学ユニット２は、図２に示すように、インテグレータ照明光学系２１と、色分離光学系２２と、リレー光学系２３と、電気光学装置２４と、投射光学装置としての投射レンズ２５と、これらを収納する光学部品用筐体（図示省略）とを備えて構成されている。
【００２１】
インテグレータ照明光学系２１は、電気光学装置２４を構成する後述する３つの液晶パネル２４１の画像形成領域をほぼ均一に照明するための光学系である。このインテグレータ照明光学系２１は、光源装置２１１と、第１レンズアレイ２１２と、第２レンズアレイ２１３と、偏光変換素子２１４と、重畳レンズ２１５とを備えている。
光源装置２１１は、放射光源としての光源ランプ２１６と、リフレクタ２１７とを備え、光源ランプ２１６から射出された放射状の光線をリフレクタ２１７で反射して平行光線とし、この平行光線を外部へと射出する。
なお、本実施形態では、光源ランプ２１６として、高圧水銀ランプを採用しているが、メタルハライドランプやハロゲンランプ等を採用することも可能である。また、リフレクタ２１７としては、放物面鏡を採用しているが、平行化凹レンズおよび楕円面鏡を組み合わせたものを採用してもよい。
【００２２】
第１レンズアレイ２１２は、光軸方向から見てほぼ矩形状の輪郭を有する小レンズがマトリクス状に配列された構成を有し、各小レンズは、光源ランプ２１６から射出された光束を複数の部分光束に分割している。
第２レンズアレイ２１３は、第１レンズアレイ２１２と略同様な構成を有しており、小レンズがマトリクス状に配列された構成を有している。この第２レンズアレイ２１３は、重畳レンズ２１５とともに、第１レンズアレイ２１２の各小レンズの像を後述する液晶パネル２４１上に結像させる機能を有する。
【００２３】
偏光変換素子２１４は、第２レンズアレイ２１３と重畳レンズ２１５との間に配置される。このような偏光変換素子２１４は、第２レンズアレイ２１３からの光を略１種類の直線偏光に変換するものであり、これにより、電気光学装置２４での光の利用効率が高められている。
具体的に、偏光変換素子２１４によって略１種類の直線偏光に変換された各部分光束は、重畳レンズ２１５によって最終的に電気光学装置２４の液晶パネル２４１上にほぼ重畳される。偏光光を変調するタイプの光変調装置では、１種類の偏光光しか利用できないため、他種類のランダムな偏光光を発する光源ランプ２１６からの光のほぼ半分が利用されない。このため、偏光変換素子２１４を用いることにより、光源ランプ２１６から射出された光束を略１種類の直線偏光に変換し、電気光学装置２４での光の利用効率を高めている。なお、このような偏光変換素子２１４は、例えば特開平８−３０４７３９号公報に紹介されている。
【００２４】
色分離光学系２２は、２枚のダイクロイックミラー２２１，２２２と、反射ミラー２２３とを備え、ダイクロイックミラー２２１，２２２によりインテグレータ照明光学系２１から射出された複数の部分光束を赤（Ｒ）、緑（Ｇ）、青（Ｂ）の３色の色光に分離する機能を有している。
リレー光学系２３は、入射側レンズ２３１と、リレーレンズ２３３と、反射ミラー２３２，２３４とを備え、色分離光学系２２で分離された色光である赤色光を電気光学装置２４の後述する赤色光用の光変調装置まで導く機能を有している。
【００２５】
この際、色分離光学系２２のダイクロイックミラー２２１では、インテグレータ照明光学系２１から射出された光束の赤色光成分と緑色光成分とが透過するとともに、青色光成分が反射する。ダイクロイックミラー２２１によって反射した青色光は、反射ミラー２２３で反射し、フィールドレンズ２１８を通って、電気光学装置２４の後述する青色光用の光変調装置に到達する。このフィールドレンズ２１８は、第２レンズアレイ２１３から
射出された各部分光束をその中心軸（主光線）に対して平行な光束に変換する。他の緑色光用、赤色光用の光変調装置の光束入射側に設けられたフィールドレンズ２１８も同様である。
【００２６】
また、ダイクロイックミラー２２１を透過した赤色光と緑色光のうちで、緑色光は、ダイクロイックミラー２２２によって反射し、フィールドレンズ２１８を通って、緑色光用の光変調装置に到達する。一方、赤色光は、ダイクロイックミラー２２２を透過してリレー光学系２３を通り、さらにフィールドレンズ２１８を通って、赤色光用の光変調装置に到達する。
なお、赤色光にリレー光学系２３が用いられているのは、赤色光の光路の長さが他の色光の光路の長さよりも長いため、光の発散等による光の利用効率の低下を防止するためである。すなわち、入射側レンズ２３１に入射した部分光束をそのまま、フィールドレンズ２１８に伝えるためである。なお、リレー光学系２３には、３つの色光のうちの赤色光を通す構成としたが、これに限らず、例えば、青色光または緑色光を通す構成としてもよい。
【００２７】
電気光学装置２４は、入射された光束を画像情報に応じて変調してカラー画像を形成するものであり、色分離光学系２２で分離された各色光が入射される３つの入射側偏光板２４２と、各入射側偏光板２４２の光路後段に配置される光変調素子としての３つの液晶パネル２４１（赤色光用の液晶パネルを２４１Ｒ、緑色光用の液晶パネルを２４１Ｇ、青色光用の液晶パネルを２４１Ｂとする）と、各液晶パネル２４１の光路後段に配置される３つの射出側偏光板２４３と、色合成光学装置としてのクロスダイクロイックプリズム２４４とを備えて構成されている。そして、これら入射側偏光板２４２、液晶パネル２４１、射出側偏光板２４３、およびクロスダイクロイックプリズム２４４は、一体的にユニット化されている。
【００２８】
入射側偏光板２４２は、偏光変換素子２１４で偏光方向が略一方向に揃えられた各色光が入射され、入射された光束のうち、偏光変換素子２１４で揃えられた光束の偏光軸と略同一方向の偏光光のみ透過させ、その他の光束を吸収するものである。この入射側偏光板２４２は、例えば、サファイアガラスまたは水晶等の透光性基板上に偏光膜が貼付された構成を有している。
【００２９】
液晶パネル２４１は、本発明の光変調装置に相当し、一対の透明ガラス基板に電気光学物質である液晶が密閉封入された構成を有し、後述する制御基板から出力される駆動信号に応じて、画像形成領域内にある液晶の配向状態が制御され、入射側偏光板２４２から射出された偏光光束の偏光方向を変調する。
【００３０】
射出側偏光板２４３は、入射側偏光板２４２と略同様の構成であり、液晶パネル２４１の画像形成領域から射出された光束のうち、入射側偏光板２４２における光束の透過軸と直交する偏光軸を有する光束のみ透過させ、その他の光束を吸収するものである。
【００３１】
クロスダイクロイックプリズム２４４は、射出側偏光板２４３から射出された色光毎に変調された光学像を合成してカラー画像を形成する光学素子である。このクロスダイクロイックプリズム２４４は、４つの直角プリズムを貼り合わせた平面視正方形状をなし、直角プリズム同士を貼り合わせた界面には、２つの誘電体多層膜が形成されている。これら誘電体多層膜は、液晶パネル２４１Ｒ，２４１Ｂから射出され射出側偏光板２４３を介した各色光を反射し、液晶パネル２４１Ｇから射出され射出側偏光板２４３を介した色光を透過する。このようにして、各液晶パネル２４１Ｒ，２４１Ｇ，２４１Ｂにて変調された各色光が合成され、カラー画像が形成される。
【００３２】
投射レンズ２５は、本発明の投射光学装置に相当し、鏡筒内に複数のレンズ、および、入射光束を偏向するミラーが収納された構成を有し、電気光学装置２４から射出されたカラー画像を拡大して、反射ミラー３（図１）に向けて、すなわち、正面に向かって射出されたカラー画像を上方向へと折り曲げて投射するものである。この投射レンズ２５は、電気光学装置２４の光束射出側に配置、固定されている。
【００３３】
（３）制御基板５
（3-1）概略構成
図３は、プロジェクションテレビ１の内部構成を示すブロック図である。
プロジェクションテレビ１は、前述のように、制御基板５を備え、この制御基板５は、光学ユニット２の液晶パネル２４１を含むプロジェクションテレビ１の装置全体を制御する回路基板として構成され、本発明の制御手段に相当する。
また、プロジェクションテレビ１は、制御基板５の他に、当該制御基板５に接続されるスピーカ６１、光源駆動回路６２、温度センサ６３、操作パネル６４およびリモコンインターフェース（リモコンＩＦ）６５を備えている。
【００３４】
このうち、スピーカ６１は、制御基板５の後述する音声処理回路５３に接続され、当該音声処理回路５３から出力される音声信号に基づく音声を出力する。
光源駆動回路６２は、本発明の光源駆動手段に相当し、制御基板５の後述する制御回路５９による制御下で、光学ユニット２の駆動制御、具体的には、光源ランプ２１６の点灯／消灯および輝度の制御を行う。
温度センサ６３は、光源ランプ２１６の近傍に配置され、光源ランプ２１６から放射される熱の温度を検出する。
【００３５】
操作パネル６４およびリモコンインターフェース６５は、本発明の操作信号出力部に相当する。
このうち、操作パネル６４は、筐体７の外面に露出して設けられ、当該操作パネル６４には、制御基板５に所定の操作を実行させる複数のボタンが配設されている。具体的には、操作パネル６４には、受信するチャンネルを切り替えるチャンネル切替キー、音量を調整する上下キー等が設けられている。また、操作パネル６４には、プロジェクションテレビ１の電源をＯＮ／ＯＦＦする電源ボタン６４１、および、後述する記録再生処理Ｓの動作中に、記録された画像情報に基づく画像の表示から、現在放送中の放送信号に含まれる画像情報に基づく画像の表示に切り替える放送画像表示ボタン６４２を備えている。
リモコンインターフェース６５は、リモコン８から送信される赤外線信号を受信して、当該赤外線信号を制御基板５で処理可能な制御信号に変換して、当該制御信号を制御基板５の制御回路５９に出力するものである。なお、リモコン８には、操作パネル６４に配設されたボタンと同様のボタンが配設されており、リモコン８は、それぞれのボタンの入力操作に応じて、当該入力があったボタンに応じた赤外線信号をリモコンインターフェース６５に送信するように構成されている。
【００３６】
制御基板５は、図３に示すように、チューナ５１と、ＡＶスイッチ５２と、音声処理回路５３と、画像処理回路５４と、液晶駆動回路５５と、記録再生回路５６と、本発明の記録手段に相当するリングバッファ５７と、選局回路５８と、制御回路５９と、メモリＭとを備えて構成されている。
チューナ５１は、アンテナから入力する放送信号から、選局回路５８が選択したチャンネルに応じた周波数の放送信号を受信し、一定周波数の信号に変換してＡＶスイッチ５２出力する。このうち、選局回路５８は、後述する制御回路５９からの制御信号を受信して、チューナ５１が受信するチャンネルを設定する。
ＡＶスイッチ５２は、チューナ５１により変換された信号から、画像情報および音声情報を分離し、分離した音声情報を音声処理回路５３に出力し、同じく抽出した画像情報を画像処理回路５４に出力する。
【００３７】
音声処理回路５３および画像処理回路５４は、後述する制御回路５９の制御下で、ＡＶスイッチ５２で分離された音声情報および画像情報を処理して、当該音声情報および画像情報に基づく音声信号および画像信号を生成する。そして、音声処理回路５３は、生成した音声信号をスピーカ６１に出力し、画像処理回路は、生成した画像信号を液晶駆動回路５５に出力する。このような音声処理回路５３は、オーディオエンコーダ５３１、スイッチ５３２およびオーディオデコーダ５３３から構成され、画像処理回路５４は、ビデオエンコーダ５４１、スイッチ５４２およびビデオデコーダ５４３とから構成されている。
【００３８】
これらのうち、スイッチ５３２，５４２は、本発明の画像形成切替部に相当し、オーディオエンコーダ５３１およびビデオエンコーダ５４１から出力される音声情報および画像情報の出力先を切り替えるとともに、オーディオデコーダ５３３およびビデオデコーダ５４３に出力する音声情報および画像情報の出力元を切り替えるものである。具体的に、スイッチ５３２は、オーディオエンコーダ５３１、オーディオデコーダ５３３および記録再生回路５６に接続され、スイッチ５４２は、ビデオエンコーダ５４１、ビデオデコーダ５４３および記録再生回路５６に接続されている。
【００３９】
すなわち、スイッチ５３２は、制御回路５９から入力する切替信号に基づいて、オーディオエンコーダ５３１から出力された放送信号に基づく音声情報を、オーディオデコーダ５３３および記録再生回路５６のいずれか一方に出力する。そして、スイッチ５３２は、当該音声情報を記録再生回路５６に出力する場合には、当該記録再生回路５６から出力された音声情報を、オーディオデコーダ５３３に出力する。
また、スイッチ５４２は、制御回路５９から入力する切替信号に基づいて、ビデオエンコーダ５４１から出力された放送信号に基づく画像情報を、ビデオデコーダ５４３および記録再生回路５６のいずれか一方に出力する。そして、スイッチ５４２は、当該画像情報を記録再生回路５６に出力する場合には、当該記録再生回路５６から出力された画像情報を、ビデオデコーダ５４３に出力する。
【００４０】
液晶駆動回路５５は、画像処理回路５４のビデオデコーダ５４３から入力する画像信号に基づいて、光学ユニット２の３つの液晶パネル２４１を駆動する。この液晶駆動回路５５によって液晶パネル２４１が駆動することにより、当該液晶パネル２４１上でプロジェクションテレビ１に入力する画像情報に基づく画像が形成される。
【００４１】
（3-2）記録再生回路５６
図４は、記録再生回路５６の機能分類を示すブロック図である。
記録再生回路５６は、音声処理回路５３および画像処理回路５４から入力する音声／画像情報をリングバッファ５７に記録するとともに、当該リングバッファ５７に記録した音声／画像情報を再生して音声処理回路５３および画像処理回路５４に出力するものである。
この記録再生回路５６は、図４に示すように、入力信号検出部５６１と、入力情報記録部５６２と、記録情報再生部５６３と、制御部５６４と、再生完了信号生成部５６５と、再生完了信号出力部５６６とを機能的に備えている。
【００４２】
入力信号検出部５６１は、記録再生回路５６に入力する制御信号を検出して、入力した制御信号の種別を制御部５６４に出力する。
この入力信号検出部５６１は、録画開始信号検出部５６１１、録画終了信号検出部５６１２、再生開始信号検出部５６１３および再生終了信号検出部５６１４を備えて構成され、それぞれ、リングバッファ５７への録画を開始させる録画開始信号、当該録画を終了させる録画終了信号、リングバッファ５７に記録された画像／音声情報の再生を開始させる再生開始信号、および、当該再生を終了させる再生終了信号を検出する。そして、これら録画開始信号検出部５６１１、録画終了信号検出部５６１２、再生開始信号検出部５６１３および再生終了信号検出部５６１４は、それぞれの信号を検出すると、制御部５６４の後述する記録開始部５６４１、記録規制部５６４２、再生開始部５６４３および再生規制部５６４４に、それぞれ検出信号を出力する。
【００４３】
入力情報記録部５６２は、本発明の画像情報記録部に相当し、制御部５６４による制御下で、音声処理回路５３および画像処理回路５４から入力する画像／音声情報を、リングバッファ５７に記録させる。この入力情報記録部５６２は、情報記録部５６２１、ＣＭ検出部５６２２およびフラグ記録部５６２３を機能的に備えている。
情報記録部５６２１は、制御部５６４から録画開始信号が入力すると、音声処理回路５３および画像処理回路５４から入力する画像／音声情報をリングバッファ５７に記録させる。また、情報記録部５６２１は、制御部５６４から録画終了信号が入力すると、リングバッファ５７への画像／音声情報の記録を終了する。
【００４４】
ＣＭ検出部５６２２は、本発明の変更検出部に相当し、入力する画像情報のコンテンツがＣＭ（コマーシャル）に変更されたかを検出する。具体的には、ＣＭ検出部５６２２は、チューナ５１が受信した放送信号がアナログ放送である場合には、入力する音声信号の切り替わりを検出することでテレビ番組がＣＭに変更されたことを検出し、デジタル放送である場合には、画像／音声情報として入力するデータの内容からＣＭを検出する。そして、ＣＭを検出した場合には、ＣＭ検出部５６２２は、フラグ記録部５６２３にＣＭフラグ設定信号を出力する。
フラグ記録部５６２３は、本発明の識別情報記録部に相当する。このフラグ記録部５６２３は、ＣＭ検出部５６２２からＣＭフラグ設定信号が入力すると、当該ＣＭフラグ設定信号が入力したタイミングで、リングバッファ５７に変更識別情報としてのＣＭフラグを記録する。これにより、リングバッファ５７に記録した画像／音声情報の再生中に、これらの情報に基づくコンテンツがＣＭに切り替わったことを検出することができる。
【００４５】
記録情報再生部５６３は、本発明の記録画像再生部に相当し、入力情報記録部５６２によりリングバッファ５７に記録された画像／音声情報を再生し、当該画像／音声情報を音声処理回路５３および画像処理回路５４に出力する。この記録情報再生部５６３は、通常再生部５６３１、時短再生部５６３２、再生位置判定部５６３３およびフラグ検出部５６３４を機能的に備えている。
【００４６】
通常再生部５６３１は、後述する制御部５６４から通常再生開始信号が入力すると、リングバッファ５７に記録された画像／音声情報を読み込んで再生する。この際、通常再生部５６３１は、当該画像／音声情報を、入力情報記録部５６２により記録する速度と同じ速度で再生する。すなわち、通常再生部５６３１は、受信される放送信号に含まれる画像／音声情報に基づいて画像表示および音声出力する場合と同じ速度で、リングバッファ５７の画像／音声情報を再生する。
この通常再生部５６３１は、音声処理回路５３および画像処理回路５４のそれぞれのスイッチ５３２，５４２と接続され、当該スイッチ５３２，５４２を介して、音声情報をオーディオデコーダ５３３に、画像情報をビデオデコーダ５４３にそれぞれ出力する。
【００４７】
時短再生部５６３２は、本発明の時間短縮再生部に相当し、後述する制御部５６４から時短再生開始信号が入力すると、リングバッファ５７に記録された画像／音声情報を、通常再生部５６３１で再生する場合より早い速度で再生する。具体的には、時短再生部５６３２は、リングバッファ５７の画像／音声情報を所定の割合で読み飛ばして再生することにより、受信される放送信号に含まれる画像／音声情報に基づいて画像表示および音声出力する場合より早い速度で、リングバッファ５７の画像／音声情報が再生される。
この時短再生部５６３２は、通常再生部５６３１と同様に、音声処理回路５３および画像処理回路５４のそれぞれのスイッチ５３２，５４２と接続され、当該スイッチ５３２，５４２を介して、音声情報をオーディオデコーダ５３３に、画像情報をビデオデコーダ５４３にそれぞれ出力する。
また、この時短再生部５６３２は、再生位置判定部５６３３にリングバッファ５７における情報の読み出し位置、すなわち、再生位置を示す再生位置信号を出力する。
【００４８】
再生位置判定部５６３３は、後述する制御部５６４から時短再生開始信号が入力すると、リングバッファ５７における記録位置と再生位置とを比較判定する。具体的に、再生位置判定部５６３３は、入力情報記録部５６２の情報記録部５６２１のリングバッファ５７への記録位置と、時短再生部５６３２のリングバッファ５７の読込位置とを比較して、それぞれが一致しているかを判定する。そして、再生位置判定部５６３３は、記録位置と読込位置とが一致すると判定した場合は、それぞれが一致することを示す位置一致信号を制御部５６４に出力する。
【００４９】
フラグ検出部５６３４は、本発明の識別情報検出部に相当し、リングバッファ５７から読み込まれた情報からＣＭフラグを検出する。そして、このフラグ検出部５６３４は、ＣＭフラグを検出すると、ＣＭフラグを検出した旨を示すフラグ検出信号を、制御部５６４に出力する。
ここで、ＣＭフラグは、入力情報記録部５６２のフラグ記録部５６２３により、記録中のコンテンツがＣＭとなった場合に記録されるので、当該ＣＭフラグをフラグ検出部５６３４が検出することにより、リングバッファ５７から読み込んだ画像／音声情報に基づくコンテンツがＣＭとなったことを検出することができる。
【００５０】
制御部５６４は、入力信号検出部５６１からの検出信号に基づいて、入力情報記録部５６２および記録情報再生部５６３を制御する。また、制御部５６４は、記録情報再生部５６３による再生状態を判定して、再生完了信号生成部５６５に再生完了信号を生成させる制御信号を出力する。この制御部５６４は、具体的に、記録開始部５６４１、記録規制部５６４２、再生開始部５６４３および再生規制部５６４４を機能的に備えている。
【００５１】
記録開始部５６４１および記録規制部５６４２は、入力情報記録部５６２の情報記録部５６２１およびＣＭ検出部５６２２の動作制御を行う。
具体的に、記録開始部５６４１は、入力信号検出部５６１の録画開始信号検出部５６１１から録画開始信号を検出した旨の検出信号が入力すると、情報記録部５６２１およびＣＭ検出部５６２２に制御信号を出力して、当該情報記録部５６２１による録画を開始させるとともに、ＣＭ検出動作を開始させる。
【００５２】
記録規制部５６４２は、入力信号検出部５６１の録画終了信号検出部５６１２から録画終了信号を検出した旨の信号が入力すると、情報記録部５６２１およびＣＭ検出部５６２２に制御信号を出力して、当該情報記録部５６２１による録画を終了させるとともに、ＣＭ検出動作を終了させる。
また、記録規制部５６４２は、記録情報再生部５６３のフラグ検出部５６３４および再生位置判定部５６３３から位置一致信号およびフラグ検出信号が入力した場合も同様に、情報記録部５６２１による録画を終了させるとともに、ＣＭ検出部５６２２によるＣＭ検出動作を終了させる。
【００５３】
再生開始部５６４３および再生規制部５６４４は、記録情報再生部５６３の各機能部５６３１〜５６３４の動作制御を行う。
具体的に、再生開始部５６４３は、入力信号検出部５６１の再生開始信号検出部５６１３から再生開始信号を検出した旨の検出信号が入力すると、当該検出信号が通常再生または時短再生のどちらの開始を意味しているかを判定して、通常再生部５６３１および時短再生部５６３２のいずれか一方に、リングバッファ５７に記録された画像／音声情報の再生を促す制御信号を出力する。また、再生開始部５６４３は、フラグ検出部５６３４に制御信号を出力して、リングバッファ５７から読み出される情報からＣＭフラグを検出させる。さらに、再生開始部５６４３は、検出信号が時短再生を開始させる信号であった場合には、再生位置判定部５６３３に制御信号を出力して、当該再生位置判定部５６３３による再生位置の判定を実行させる。
【００５４】
再生規制部５６４４は、本発明の記録画像再生規制部に相当し、入力信号検出部５６１の再生終了信号検出部５６１４から再生終了信号を検出した旨の検出信号が入力すると、通常再生を実行していた場合には通常再生部５６３１に、また、時短再生を実行していた場合には時短再生部５６３２に、再生処理を終了させる制御信号を出力する。
また、再生規制部５６４４は、フラグ検出部５６３４に対して、ＣＭフラグの検出を終了させる制御信号を出力する。さらに、時短再生部５６３２により時間短縮再生を実行していた場合には、再生規制部５６４４は、再生位置判定部５６３３に再生位置の判定を終了させる制御信号を出力する。
【００５５】
さらに、再生規制部５６４４は、再生位置判定部５６３３およびフラグ検出部５６３４のいずれか一方から位置一致信号またはフラグ検出信号が入力した場合も同様に、通常再生部５６３１または時短再生部５６３２と、再生位置判定部５６３３と、フラグ検出部５６３４とに制御信号を出力して、それぞれの動作を終了させる。
加えて、再生規制部５６４４は、記録情報再生部５６３の各機能部５６３１〜５６３４への制御信号出力とともに、再生完了信号生成部５６５に再生完了信号を生成させる制御信号を出力する。
【００５６】
再生完了信号生成部５６５は、制御部５６４の再生規制部５６４４から制御信号が入力すると、記録情報再生部５６３による画像／音声情報の再生が完了したことを示す再生完了信号を生成し、当該再生完了信号を、再生完了信号出力部５６６を介して制御回路５９に出力する。
【００５７】
（3-3）制御回路５９
図５は、制御回路５９の機能分類を示すブロック図である。
制御回路５９は、ＣＰＵ（Central Processing Unit）等を含んで構成され、メモリＭに記憶された制御プログラム等を読み込んで実行し、制御基板５の各構成要素を制御する。具体的に、制御回路５９は、図３に示すように、操作パネル６４およびリモコンインターフェース６５と接続され、これらから入力する制御信号を処理して、制御基板５を構成する音声処理回路５３、画像処理回路５４、液晶駆動回路５５、記録再生回路５６および選局回路５８と、光源駆動回路６２との駆動を制御する。
この制御回路５９は、図５に示すように、信号検出部５９１と、信号生成部５９２と、信号出力部５９３と、状態判定部５９４と、タイマ５９５とを機能的に備えている。
【００５８】
信号検出部５９１は、操作パネル６４およびリモコンインターフェース６５から入力する操作信号、並びに、記録再生回路５６および光源駆動回路６２等から入力する各種制御信号を検出して、当該入力が検出された信号の種別を示す検出信号を信号生成部５９２に出力する。
この信号検出部５９１は、電源ＯＮ信号検出部５９１１、電源ＯＦＦ信号検出部５９１２、点灯開始信号検出部５９１３、消灯完了信号検出部５９１４、点灯完了信号検出部５９１５、表示切替信号検出部５９１６および再生完了信号検出部５９１７を機能的に備えている。
このうち、再生完了信号検出部５９１７は、記録再生回路５６から入力する再生完了信号を検出する。
【００５９】
電源ＯＮ信号検出部５９１１、電源ＯＦＦ信号検出部５９１２および表示切替信号検出部５９１６は、操作パネル６４およびリモコンインターフェース６５から入力する操作信号を検出する。
具体的に、電源ＯＮ信号検出部５９１１および電源ＯＦＦ信号検出部５９１２は、操作パネル６４の電源ボタン６４１、および、電源ボタン６４１と同等のリモコン８のボタンが入力された場合に入力し、プロジェクションテレビ１の電源をＯＮする電源ＯＮ信号、および、電源をＯＦＦする電源ＯＦＦ信号を検出する。
また、表示切替信号検出部５９１６は、本発明の操作信号検出部に相当する。この表示切替信号検出部５９１６は、操作パネル６４の放送画像表示ボタン６４２、および、当該放送画像表示ボタン６４２と同等のリモコン８のボタンが入力された場合に入力し、リングバッファ５７に記録された画像／音声情報の再生から、現在放送中の放送信号の画像／音声情報に基づく画像表示および音声出力に切り替える表示切替信号を検出する。
【００６０】
点灯開始信号検出部５９１３、消灯完了信号検出部５９１４および点灯完了信号検出部５９１５は、光源駆動回路６２から入力する制御信号を検出する。
具体的に、点灯開始信号検出部５９１３は、後述する信号出力部５９３からの始動信号が入力した光源駆動回路６２が光源ランプ２１６の点灯を開始させる際に出力する点灯開始信号を検出する。
点灯完了信号検出部５９１５は、光源ランプ２１６の点灯が完了したか否かを判定する本発明の点灯完了判定部に相当し、光源駆動回路６２から制御回路５９に出力される点灯完了信号を検出する。この点灯完了信号は、光源駆動回路６２が光源ランプ２１６の点灯が安定化し、当該光源ランプ２１６の点灯が完了したことを検出した際に、当該光源駆動回路６２によって制御回路５９に出力される。
消灯完了信号検出部５９１４は、後述する信号出力部５９３からの消灯信号が入力した光源駆動回路６２が、光源ランプ２１６を消灯させる際に出力する消灯完了信号を検出する。この消灯完了信号検出部５９１４は、当該消灯完了信号を検出した場合、信号生成部５９２に検出信号を出力するとともに、状態判定部５９４に対しても同様の検出信号を出力する。
【００６１】
信号生成部５９２は、信号検出部５９１から入力する検出信号に応じて、光源駆動回路６２、音声処理回路５３のスイッチ５３２、画像処理回路５４のスイッチ５４２および記録再生回路５６等に出力する制御信号を生成する。この信号生成部５９２は、始動信号生成部５９２１、消灯信号生成部５９２２、切替信号生成部５９２３、録画開始信号生成部５９２４、再生開始信号生成部５９２５、再生終了信号生成部５９２６および録画終了信号生成部５９２７を機能的に備えている。
また、信号出力部５９３は、信号生成部５９２により生成された制御信号を、当該制御信号の出力先となる各回路等に出力する。この信号出力部５９３は、信号生成部５９２の各機能部５９２１〜５９２７に対応して、始動信号出力部５９３１、消灯信号出力部５９３２、切替信号出力部５９３３、録画開始信号出力部５９３４、再生開始信号出力部５９３５、再生終了信号出力部５９３６および録画終了信号出力部５９３７を機能的に備えている。
【００６２】
始動信号生成部５９２１は、電源ＯＮ信号検出部５９１１からの検出信号が入力すると、光源駆動回路６２に光源ランプ２１６を点灯させる始動信号を生成する。この始動信号は、始動信号出力部５９３１を介して、光源駆動回路６２に出力される。
消灯信号生成部５９２２は、電源ＯＦＦ信号検出部５９１２からの検出信号が入力すると、光源駆動回路６２に光源ランプ２１６を消灯させる消灯信号を生成する。この消灯信号は、消灯信号出力部５９３２を介して、光源駆動回路６２に出力される。
【００６３】
切替信号生成部５９２３は、点灯開始信号検出部５９１３、消灯完了信号検出部５９１４、表示切替信号検出部５９１６および再生完了信号検出部５９１７からの検出信号が入力すると、音声処理回路５３および画像処理回路５４のスイッチ５３２，５４２に、当該スイッチ５３２，５４２を介して行われる音声情報および画像情報の伝送路を切り替えさせる切替信号を生成する。
この切替信号生成部５９２３により生成された切替信号は、信号出力部５９３の切替信号出力部５９３３により、スイッチ５３２，５４２に出力される。
【００６４】
具体的に、切替信号生成部５９２３は、点灯開始信号検出部５９１３および消灯完了信号検出部５９１４からの検出信号が入力した場合には、音声処理回路５３のオーディオエンコーダ５３１からの音声情報、および、画像処理回路５４のビデオエンコーダ５４１からの画像情報が、記録再生回路５６に入力するように、また、記録再生回路５６からの音声情報および画像情報が、それぞれオーディオデコーダ５３３およびビデオデコーダ５４３に入力するように伝送路を切り替える切替信号を生成する。
また、切替信号生成部５９２３は、表示切替信号検出部５９１６および再生完了信号検出部５９１７からの検出信号が入力した場合には、音声処理回路５３のオーディオエンコーダ５３１からの音声情報、および、画像処理回路５４のビデオエンコーダ５４１からの画像情報が、それぞれ、オーディオデコーダ５３３およびビデオデコーダ５４３に入力するように伝送路を切り替える切替信号を生成する。
【００６５】
録画開始信号生成部５９２４は、点灯開始信号検出部５９１３および消灯完了信号検出部５９１４からの検出信号が入力すると、記録再生回路５６に入力する画像／音声情報をリングバッファ５７に記録させる録画開始信号を生成する。この録画開始信号は、信号出力部５９３の録画開始信号出力部５９３４により、記録再生回路５６に出力される。
【００６６】
再生開始信号生成部５９２５は、点灯完了信号検出部５９１５からの検出信号が入力すると、記録再生回路５６に、リングバッファ５７に記録された画像／音声情報を再生させる再生開始信号を生成する。この再生開始信号は、信号出力部５９３の再生開始信号出力部５９３５により、記録再生回路５６に出力される。
ここで、再生開始信号生成部５９２５は、メモリＭを参照して、通常再生および時間短縮再生のどちらを実行するかの再生モード種別を取得する。また、通常再生の場合は、再生中のリングバッファ５７の画像／映像情報の内容がＣＭに切り替わった際に、当該リングバッファの画像／映像情報の再生から、現在放送中の放送信号に基づく画像／音声の表示／出力に切り替えるか否かの情報も、再生モード種別として設定されている。このような再生モード種別は、予め使用者によって設定され、メモリＭに記憶されている。
そして、再生開始信号生成部５９２５は、メモリＭから取得した再生モード種別に応じて、ＣＭを認識する通常再生開始信号、ＣＭを認識しない通常再生開始信号、ＣＭを認識する時間短縮再生開始信号、および、ＣＭを認識しない時間短縮再生開始信号のうちいずれか１つを生成し、生成した再生開始信号を、再生開始信号出力部５９３５を介して記録再生回路５６に出力する。
【００６７】
再生終了信号生成部５９２６および録画終了信号生成部５９２７は、表示切替信号検出部５９１６からの検出信号が入力すると、記録再生回路５６に再生および録画を終了させる再生終了信号および録画終了信号を生成する。また、録画終了信号生成部５９２７は、状態判定部５９４からの制御信号が入力すると、録画終了信号を生成する。これら再生終了信号および録画終了信号は、信号出力部５９３の再生終了信号出力部５９３６および録画終了信号出力部５９３７により、記録再生回路５６に出力される。
【００６８】
状態判定部５９４は、消灯時の光源ランプ２１６の状態を判定する。
すなわち、状態判定部５９４は、光源ランプ２１６近傍に配置された温度センサ６３と接続され、信号検出部５９１の消灯完了信号検出部５９１４からの検出信号が入力すると、温度センサ６３から入力する光源ランプ２１６の測定温度と、閾値となる所定の温度とを比較する。また、この状態判定部５９４は、タイマ５９５と接続され、当該検出信号が入力すると、タイマ５９５を起動して、当該検出信号が入力してからの経過時間を計測する。そして、この状態判定部５９４は、光源ランプ２１６の温度が、当該所定の温度より低くなり、また、当該経過時間が所定時間を経過した場合に、光源ランプ２１６の消灯後の冷却処理が完了したと判定して、録画終了信号生成部５９２７に録画終了信号を生成させる制御信号を出力する。
【００６９】
（４）記録再生処理Ｓ
（4-1）電源ＯＮ時の記録再生処理ＳＡ
図６および図７は、電源ＯＮ時の記録再生処理ＳＡの処理フローを示す図である。
本実施形態のプロジェクションテレビ１は、電源がＯＮされ、光源ランプ２１６の点灯が開始されると、放送信号に含まれる画像／音声情報を記録し、点灯が安定化すると、記録した画像／音声情報を再生する記録再生処理ＳＡを実行する。この電源ＯＮ時の記録再生処理ＳＡは、メモリＭに記憶された録画再生プログラムを実行する制御回路５９、および、記録再生回路５６によって制御される。
電源ＯＮ時の記録再生処理ＳＡは、図６に示すように、電力供給が開始されているプロジェクションテレビ１において、操作パネル６４の電源ボタン６４１またはリモコン８の電源ボタンが入力され、当該入力操作に応じた電源ＯＮ信号が制御回路５９に入力することによって開始される。
【００７０】
すなわち、電源ＯＮ時の記録再生処理ＳＡでは、制御回路５９は、操作信号の入力があった場合には、当該入力した操作信号の種別を判定する（処理ＳＡ２０１）。
ここで、制御回路５９の信号検出部５９１が、電源ＯＮ信号とは異なる操作信号の入力を検出した場合には、必要に応じて当該操作信号に応じた処理を実行して、処理ＳＡ２０１に戻る。
一方、操作パネル６４またはリモコンインターフェース６５から電源ＯＮ信号が出力され（処理ＳＡ００１）、信号検出部５９１の電源ＯＮ信号検出部５９１１が、当該電源ＯＮ信号の入力を検出した場合には、当該電源ＯＮ信号検出部５９１１が信号生成部５９２の始動信号生成部５９２１に検出信号を出力する。そして、当該検出信号が入力した始動信号生成部５９２１は、光源ランプ２１６を点灯させる始動信号を生成し、当該始動信号を、始動信号出力部５９３１を介して光源駆動回路６２に出力する（処理ＳＡ２０２）。この処理ＳＡ２０２の後、制御回路５９は、光源駆動回路６２からの信号入力を待機する。
【００７１】
光源駆動回路６２は、電力供給開始とともに、制御回路５９から制御信号の入力があった場合、当該制御信号が、始動信号であるか否かを判定する（処理ＳＡ１０１）。
ここで、入力した制御信号が始動信号でないと判定した場合、光源駆動回路６２は、必要に応じて当該制御信号に応じた処理を実行した後、処理ＳＡ１０１に戻り、新たな制御信号の入力を待機する。
一方、始動信号が入力したと判定した場合、光源駆動回路６２は、光源ランプ２１６を点灯させる点灯開始信号を光源ランプ２１６および制御回路５９に出力する（処理ＳＡ１０２）。この後、光源駆動回路６２は、光源ランプ２１６の点灯状態を監視する（処理ＳＡ１０３）。
【００７２】
処理ＳＡ２０２の後、制御回路５９は、当該制御回路５９を構成する信号検出部５９１の点灯開始信号検出部５９１３により、光源駆動回路６２から点灯開始信号が入力したか否かを判定する（処理ＳＡ２０３）。
ここで、点灯開始信号の入力を検出しなかった場合には、点灯開始信号検出部５９１３は、処理ＳＡ２０３に戻って、再び点灯開始信号の入力待機および判定を行う。
【００７３】
一方、点灯開始信号の入力を検出した場合には、点灯開始信号検出部５９１３は、切替信号生成部５９２３および録画開始信号生成部５９２４に検出信号を出力する。
このうち、当該検出信号が入力した切替信号生成部５９２３は切替信号を生成し、当該切替信号を、切替信号出力部５９３３を介して、音声処理回路５３および画像処理回路５４のスイッチ５３２，５４２に出力する。これにより、音声処理回路５３のオーディオエンコーダ５３１から出力される音声情報、および、画像処理回路５４のビデオエンコーダ５４１から出力される画像情報が、記録再生回路５６に入力するようになる。また、記録再生回路５６から出力された音声情報および画像情報は、音声処理回路５３のオーディオデコーダ５３３および画像処理回路５４のビデオデコーダ５４３に入力するようになる。
また、点灯開始信号検出部５９１３から検出信号が入力した録画開始信号生成部５９２４は、録画開始信号を生成して、当該録画開始信号を、録画開始信号出力部５９３４を介して記録再生回路５６に出力する（処理ＳＡ２０４）。この後、制御回路５９は、光源駆動回路６２からの信号入力を待機する。
【００７４】
記録再生回路５６は、電力供給が開始された状態で、制御回路５９からの制御信号の入力があった場合には、当該信号の種別を判定する（処理ＳＡ３０１）。
ここで、記録再生回路５６の入力信号検出部５６１が、制御回路５９からの録画開始信号の入力を検出しなかった場合、当該記録再生回路５６は、処理ＳＡ３０１に戻り、信号の入力待機および判定を行う。
【００７５】
一方、入力信号検出部５６１の録画開始信号検出部５６１１が、録画開始信号の入力を検出した場合、当該録画開始信号検出部５６１１は、制御部５６４の記録開始部５６４１に検出信号を出力する。当該検出信号が入力した記録開始部５６４１は、入力情報記録部５６２の情報記録部５６２１およびＣＭ検出部５６２２に制御信号を出力する。
そして、当該制御信号が入力した情報記録部５６２１は、音声処理回路５３および画像処理回路５４から入力する音声情報および画像情報をリングバッファ５７に記録する（処理ＳＡ３０２）。
また、記録開始部５６４１からの制御信号が入力したＣＭ検出部５６２２は、入力する画像／音声情報から、当該画像／音声情報のコンテンツがＣＭに切り替わったタイミングで、フラグ記録部５６２３によりリングバッファ５７にＣＭフラグを記録させる。
この後、記録再生回路５６は、制御回路５９からの制御信号の入力を待機する。
【００７６】
処理ＳＡ１０３により、光源ランプ２１６に状態監視を実行していた光源駆動回路６２は、当該光源ランプ２１６の点灯が安定し、点灯処理が完了したか否かを判定する（処理ＳＡ１０４）。
ここで、光源ランプ２１６の点灯が安定していないと判定した場合は、光源駆動回路６２は、処理ＳＡ１０３に戻り、引き続き光源ランプ２１６の状態を監視する。
一方、光源ランプ２１６の点灯が安定したと判定した場合、光源駆動回路６２は、点灯処理が完了したとして、点灯完了信号を制御回路５９に出力する（処理ＳＡ１０５）。
この処理ＳＡ１０５を実行した後、光源駆動回路６２は、電源ＯＮ時の記録再生処理ＳＡを終了する。
【００７７】
また、処理ＳＡ２０４の後、制御回路５９は、当該制御回路５９の点灯完了信号検出部５９１５により、光源駆動回路６２からの点灯完了信号が入力したか否かを判定する（処理ＳＡ２０５）。
ここで、点灯完了信号検出部５９１５が、点灯完了信号の入力を検出しなかった場合、制御回路５９は、処理ＳＡ２０５に戻り、点灯完了信号の入力待機および判定を行う。
【００７８】
一方、点灯完了信号検出部５９１５が、点灯完了信号の入力を検出した場合、当該点灯完了信号検出部５９１５は、再生開始信号生成部５９２５に検出信号を出力する。当該検出信号が入力した再生開始信号生成部５９２５は、記録再生回路５６にリングバッファ５７に記録された画像／音声情報の再生を実行させる再生開始信号を生成し、再生開始信号出力部５９３５を介して、記録再生回路５６に当該再生開始信号を出力する（処理ＳＡ２０６）。
【００７９】
処理ＳＡ３０２の後、記録再生回路５６は、入力信号検出部５６１の再生開始信号検出部５６１３により、制御回路５９からの再生開始信号の入力が検出されたか否かを判定する（処理ＳＡ３０３）。
ここで、再生開始信号検出部５６１３が、再生開始信号の入力を検出しなかった場合、記録再生回路５６は、処理ＳＡ３０３に戻り、再び、再生開始信号の入力待機および判定を行う。
一方、再生開始信号検出部５６１３が、再生開始信号の入力を検出した場合、当該再生開始信号検出部５６１３は、制御部５６４の再生開始部５６４３に検出信号を出力し、当該検出信号が入力した再生開始部５６４３は、再生処理ＳＡ４を実行する。
【００８０】
図８および図９は、記録再生回路５６における再生処理ＳＡ４の処理フローを示す図である。
記録再生回路５６は、前述のように、制御回路５９から再生開始信号が入力することによって再生処理ＳＡ４を実行する。
この再生処理ＳＡ４では、図８に示すように、まず、記録再生回路５６の制御部５６４を構成する再生開始部５６４３が、入力信号検出部５６１の再生開始信号検出部５６１３から入力する検出信号から、どの再生モードでリングバッファ５７に記録された画像／音声情報を再生するかを判定する（処理ＳＡ４０１）。
【００８１】
ここで、入力した検出信号が通常再生モードを示す場合には、再生開始部５６４３は、記録情報再生部５６３の通常再生部５６３１に通常再生を促す制御信号を出力する。そして、当該制御信号が入力した通常再生部５６３１は、リングバッファ５７に記録された画像／音声情報を読み込んで通常再生を実行する（処理ＳＡ４０２）。
一方、入力した検出信号が時間短縮再生モードを示す場合には、再生開始部５６４３は、記録情報再生部５６３の時短再生部５６３２に時間短縮再生を促す制御信号を出力する。そして、当該制御信号が入力した時短再生部５６３２は、リングバッファ５７に記録された画像／音声情報の時間短縮再生を実行する（処理ＳＡ４０３）。
【００８２】
また、再生開始部５６４３は、再生位置判定部５６３３に制御信号を出力し、当該制御信号が入力した再生位置判定部５６３３は、時短再生部５６３２によるリングバッファ５７の再生位置と、入力情報記録部５６２の情報記録部５６２１によるリングバッファ５７の記録位置とが一致するか否かを判定する（処理ＳＡ４０４）。なお、この再生位置判定部５６３３による再生位置判定は、再生規制部５６４４により規制がなされるまで常に実行される。
ここで、読込位置と記録位置とが一致する場合には、再生位置判定部５６３３は、記録規制部５６４２および再生規制部５６４４に位置一致信号を出力し、記録再生回路５６は、処理ＳＡ４０９（図９参照）に移行する。
【００８３】
また、読込位置と記録位置とが一致しない場合には、図９に示すように、制御部５６４の再生開始部５６４３は、再生開始信号検出部５６１３からの検出信号から、再生している画像／音声情報に基づくコンテンツがＣＭに切り替わった場合に、ＣＭを認識する処理を行うか否かの判定を行う（処理ＳＡ４０５）。
ここで、ＣＭを認識しない再生モードである場合には、再生中のコンテンツがＣＭとなってもそのまま表示するとして、制御部５６４は、処理ＳＡ４０７に移行する。
【００８４】
一方、ＣＭを認識する再生モードである場合には、再生開始部５６４３は、記録情報再生部５６３のフラグ検出部５６３４に制御信号を出力して、当該フラグ検出部５６３４により、ＣＭフラグを検出したか否かを判定する（処理ＳＡ４０６）。
ここで、フラグ検出部５６３４がＣＭフラグを検出した場合、当該フラグ検出部５６３４は、記録規制部５６４２および再生規制部５６４４にフラグ検出信号を出力して、記録再生回路５６は、処理ＳＡ４０９に移行する。
一方、フラグ検出部５６３４がＣＭフラグを検出していない場合、当該フラグ検出部５６３４は、再生規制部５６４４にフラグ検出信号を出力せず、そのままリングバッファ５７に記録された画像／音声情報の再生が継続される。
【００８５】
ここで、記録再生回路５６の再生終了信号検出部５６１４は、当該記録再生回路５６の起動に伴って、制御回路５９からの再生終了信号の入力が検出されたか否かを判定する（処理ＳＡ４０７）。
この処理ＳＡ４０７において、再生終了信号検出部５６１４が再生終了信号を検出しなかった場合、制御部５６４による再生モードの判定が行われ（処理ＳＡ４０８）、再生モードが通常再生モードである場合は処理ＳＡ４０５に移行し、時間短縮再生モードである場合は処理ＳＡ４０４に移行する。
一方、制御回路５９が再生終了信号を出力し（処理ＳＡ２０７）、再生終了信号検出部５６１４が再生終了信号を検出した場合は、当該再生終了信号検出部５６１４は、記録規制部５６４２および再生規制部５６４４に検出信号を出力し、記録再生回路５６は、処理ＳＡ４０９に移行する。
【００８６】
この処理ＳＡ４０９では、制御部５６４の記録規制部５６４２および再生規制部５６４４が、それぞれ入力情報記録部５６２および記録情報再生部５６３に制御信号を出力し、入力情報記録部５６２によるリングバッファ５７への記録、並びに、記録情報再生部５６３によるリングバッファ５７からの情報の読出および再生を規制して終了させる。これにより再生処理ＳＡ４が終了する。
【００８７】
この再生処理ＳＡ４の後、図７に示すように、再生規制部５６４４は、再生完了信号生成部５６５に制御信号を出力して、当該再生完了信号生成部５６５により再生完了信号を生成させる。そして、再生完了信号出力部５６６は、再生完了信号を制御回路５９に出力する（処理ＳＡ３０４）。
【００８８】
ここで、処理ＳＡ２０６にて再生開始信号を出力した制御回路５９は、必要に応じて処理ＳＡ２０７での再生終了信号の出力（図９参照）を経て、信号検出部５９１の再生完了信号検出部５９１７により、記録再生回路５６からの信号が入力したか否かの判定を行う（処理ＳＡ２０８）。
ここで、再生完了信号の入力を検出しなかった場合、当該再生完了信号検出部５９１７は、必要に応じて処理ＳＡ２０７を行った後、処理ＳＡ２０８に戻り、再び信号の入力待機および判定を行う。
【００８９】
一方、再生完了信号の入力を検出した場合、当該再生完了信号検出部５９１７は、切替信号生成部５９２３に検出信号を出力する。当該検出信号が入力した切替信号生成部５９２３は、音声処理回路５３のオーディオエンコーダ５３１から出力される音声情報をオーディオデコーダ５３３に入力させるように、また、画像処理回路５４のビデオエンコーダ５４１から出力される画像情報をビデオデコーダ５４３に入力させるように、それぞれのスイッチ５３２，５４２を切り替える切替信号を生成する。そして、切替信号出力部５９３３は、生成された切替信号をスイッチ５３２，５４２に出力する。
これにより、リングバッファ５７に記録された画像／音声情報に基づく画像表示および音声出力から、チューナ５１で選択受信されＡＶスイッチ５２で分離された現在放送中の放送信号に含まれる画像／音声情報に基づく画像表示および音声出力への切替が完了する（処理ＳＡ２０９）。
【００９０】
以上のような電源ＯＮ時の記録再生処理ＳＡにより、プロジェクションテレビ１の起動に伴う光源ランプ２１６の点灯開始とともに、放送信号に含まれる画像／音声情報を記録し、当該光源ランプ２１６の点灯が安定した後、記録した画像／音声情報を再生して画像表示および音声出力することができる。すなわち、プロジェクションテレビ１の電源ＯＮ時に、光源ランプ２１６が安定するまでに放送された番組を一時的に録画し、当該光源ランプ２１６の点灯が安定した後、録画した画像および音声を再生して画像表示および音声出力することができる。これによれば、光源ランプ２１６の点灯が安定するまでに放送された番組を見逃すことを防ぐことができる。従って、使用者の所望の番組をプロジェクションテレビ１にて確実に表示することができる。
【００９１】
（4-2）電源ＯＦＦ時の記録再生処理ＳＢ
プロジェクションテレビ１は、電源がＯＦＦされ、光源ランプ２１６が消灯されると、その時点から放送されている放送信号に含まれる画像／音声情報をリングバッファ５７に記録する。これは、一度消灯された光源ランプ２１６は、点灯を再開した場合でも、当該点灯が安定するまでに時間がかかるためである。この電源ＯＦＦからＯＮへの場合、光源ランプ２１６の点灯安定までの時間は、前述の場合より長くなる傾向にある。このため、光源ランプ２１６が安定するまでの時間分、放送信号の画像／音声情報を記録することにより、再度電源がＯＮされた場合でも放送されたテレビ番組を見逃すことを防ぐことができる。
以下、電源ＯＦＦ時の記録再生処理ＳＢについて説明する。
【００９２】
図１０から図１２は、電源ＯＦＦ時の記録再生処理ＳＢの処理フローを示す図である。
電源ＯＦＦ時の記録再生処理ＳＢでは、図１０に示すように、まず、制御回路５９の信号検出部５９１を構成する電源ＯＦＦ信号検出部５９１２が、電源ＯＦＦ信号が入力したか否かを判定する（処理ＳＢ２０１）。
ここで、電源ＯＦＦ信号検出部５９１２が電源ＯＦＦ信号を検出しなかった場合、制御回路５９は、処理ＳＢ２０１に戻り、信号の入力待機および判定を行う。
【００９３】
一方、操作パネル６４またはリモコンインターフェース６５が電源ＯＦＦ信号を出力し（処理ＳＢ００１）、電源ＯＦＦ信号検出部５９１２が電源ＯＦＦ信号を検出した場合、当該電源ＯＦＦ信号検出部５９１２は、信号生成部５９２の消灯信号生成部５９２２に検出信号を出力して、当該消灯信号生成部５９２２により、光源ランプ２１６を消灯させる消灯信号を生成させる。そして、消灯信号出力部５９３２は、生成された消灯信号を光源駆動回路６２に出力する（処理ＳＢ２０２）。この後、制御回路５９は、光源駆動回路６２からの消灯完了信号を含む制御信号の入力に備え、信号入力を待機する。
【００９４】
また、光源駆動回路６２は、制御回路５９等からの信号入力を待機しており、制御信号の入力があった場合は、当該入力した制御信号の種別を判定している（処理ＳＢ１０１）。
ここで、光源駆動回路６２が、消灯信号の入力を検出していない場合、当該光源駆動回路６２は、処理ＳＢ１０１に戻り、他の制御信号を含む制御信号の入力待機および判定を行う。
一方、光源駆動回路６２が、制御回路５９からの消灯信号の入力を検出した場合、当該光源駆動回路６２は、光源ランプ２１６への電力供給を停止し、制御回路５９に対して消灯完了信号を出力する（処理ＳＢ１０２）。この後、光源駆動回路６２は、始動信号等の入力に備え、制御信号の入力を待機する。
【００９５】
処理ＳＢ２０２の後、制御回路５９は、当該制御回路５９の信号検出部５９１を構成する消灯完了信号検出部５９１４により、光源駆動回路６２から消灯完了信号が入力したか否かを判定する（処理ＳＢ２０３）。
ここで、消灯完了信号の入力を検出しなかった場合、制御回路５９は、処理ＳＢ２０３に戻り、信号入力の待機および判定を行う。
【００９６】
一方、消灯完了信号の入力を検出した場合、消灯完了信号検出部５９１４は、信号生成部５９２の切替信号生成部５９２３、録画開始信号生成部５９２４および状態判定部５９４に検出信号を出力する。
この際、切替信号生成部５９２３は、音声処理回路５３のオーディオエンコーダ５３１からの音声情報、および、画像処理回路５４のビデオエンコーダ５４１からの画像情報が、記録再生回路５６に入力するように、また、記録再生回路５６から出力された画像／音声情報が、音声処理回路５３のオーディオデコーダ５３３、および、画像処理回路５４のビデオデコーダ５４３に入力するように、伝送路を切り替える切替信号を生成する。そして、切替信号出力部５９３３は、生成された切替信号を、音声処理回路５３および画像処理回路５４のスイッチ５３２，５４２に出力する。
【００９７】
また、録画開始信号生成部５９２４は、記録再生回路５６に放送信号に含まれる画像／音声情報の記録を促す録画開始信号を生成し、当該録画開始信号を、録画開始信号出力部５９３４を介して、記録再生回路５６に出力する（処理ＳＢ２０４）。
さらに、状態判定部５９４は、タイマ５９５を起動して、当該検出信号が入力してからの時間を計測する（処理ＳＢ２０５）。この後、制御回路５９は、スタンバイ状態となり、電源ＯＮ信号等の操作信号入力を待機する。
【００９８】
また、記録再生回路５６は、電力供給状態では制御信号の入力を待機しており、制御信号の入力があった場合には、当該制御信号の種別を判定する（処理ＳＢ３０１）。
ここで、記録再生回路５６の入力信号検出部５６１の録画開始信号検出部５６１１が録画開始信号の入力を検出しなかった場合、記録再生回路５６は、処理ＳＢ３０１に戻り、制御信号の入力待機および判定を行う。
一方、録画開始信号検出部５６１１が、制御回路５９からの録画開始信号を検出した場合、記録再生回路５６は、放送信号に含まれる画像／音声情報をリングバッファ５７に記録する（処理ＳＢ３０２）。なお、この処理ＳＢ３０２の処理内容は、処理ＳＡ３０２と同様である。この処理ＳＢ３０２の後、記録再生回路５６は、制御回路５９からの制御信号の入力を待機する。
【００９９】
処理ＳＢ２０５の後、スタンバイ状態にある制御回路５９は、図１１に示すように、当該制御回路５９の信号検出部５９１の電源ＯＮ信号検出部５９１１により、操作パネル６４およびリモコンインターフェース６５から電源ＯＮ信号が入力したか否かを判定する（処理ＳＢ２０６）。
ここで、電源ＯＮ信号検出部５９１１が電源ＯＮ信号の入力を検出しなかった場合、制御回路５９は、後述する処理ＳＢ２１２に移行する。
一方、電源ＯＮ信号検出部５９１１が電源ＯＮ信号の入力を検出した場合、処理ＳＡ２０２と同様に、制御回路５９は、光源駆動回路６２に始動信号を出力し（処理ＳＢ２０７）、光源駆動回路６２からの点灯完了信号を含む制御信号の入力を待機する。
【０１００】
処理ＳＢ１０２の後、光源駆動回路６２は、制御回路５９から始動信号が入力したか否かを判定し（処理ＳＢ１０３）、当該始動信号の入力がない場合は、光源駆動回路６２における電源ＯＦＦ時の記録再生処理ＳＢを終了する。
一方、始動信号の入力を検出した場合、光源駆動回路６２は、光源ランプ２１６に対して電力供給を開始するとともに点灯開始信号を出力して、光源ランプ２１６を点灯させる（処理ＳＢ１０４）。
【０１０１】
この処理ＳＢ１０４の後、光源駆動回路６２は、光源ランプ２１６の点灯状態を監視し（処理ＳＢ１０５）、当該光源ランプ２１６の点灯が安定し、点灯が完了したか否かを判定する（処理ＳＢ１０６）。
ここで、光源ランプ２１６の点灯が安定していない場合、光源駆動回路６２は、処理ＳＢ１０５に戻り、光源ランプ２１６の状態監視を継続する。
一方、光源ランプ２１６の点灯が安定し、当該光源ランプ２１６の点灯が完了したと判定した場合、光源駆動回路６２は、制御回路５９に点灯完了信号を出力する（処理ＳＢ１０７）。この後、光源駆動回路６２は、当該光源駆動回路６２における電源ＯＦＦ時の記録再生処理ＳＢを終了する。
【０１０２】
処理ＳＢ２０７の後、信号入力待機状態にある制御回路５９は、点灯完了信号検出部５９１５により、光源駆動回路６２から点灯完了信号が入力したか否かを判定し（処理ＳＢ２０８）、当該点灯完了信号の入力を検出していない場合は、処理ＳＢ２０８に戻り、再び信号の入力待機および判定を行う。
一方、点灯完了信号検出部５９１５が点灯完了信号の入力を検出した場合、制御回路５９は、処理ＳＡ２０６と同様に、記録再生回路５６に対して、再生開始信号を生成出力する（処理ＳＢ２０９）。この後、制御回路５９は、記録再生回路５６からの再生完了信号を含む制御信号の入力を待機する。
【０１０３】
処理ＳＢ３０２の後、信号入力待機状態の記録再生回路５６は、図１１に示すように、入力信号検出部５６１の再生開始信号検出部５６１３により、制御回路５９から再生開始信号の入力があるか否かを判定し（処理ＳＢ３０３）、再生開始信号入力を検出しなかった場合には、記録再生回路５６は、図１２に示す処理ＳＢ３０５に移行する。
一方、再生開始信号の入力を検出した場合には、記録再生回路５６は、前述の再生処理ＳＡ４を実行し、リングバッファ５７に記録された画像／音声情報を再生して、当該画像情報に基づく画像表示、および、当該音声情報に基づく音声出力を行う。
この後、記録再生回路５６は、処理ＳＡ３０４と同様に、制御回路５９に再生完了信号を生成出力し（処理ＳＢ３０４）、記録再生回路５６における電源ＯＦＦ時の記録再生処理ＳＢを終了する。
【０１０４】
また、処理ＳＢ２０９の後、信号入力待機状態の制御回路５９は、信号検出部５９１の再生完了信号検出部５９１７により、記録再生回路５６からの再生完了信号の入力があるか否かを判定し（処理ＳＢ２１０）、当該再生完了信号の入力がない場合は、処理ＳＢ２１０に戻って、再び信号の入力待機および判定を行う。
一方、再生完了信号検出部５９１７により、再生完了信号の入力が検出された場合、制御回路５９は、処理ＳＡ２０９と同様に、現在放送されている放送信号に含まれる画像／映像情報に基づく画像表示および音声出力に切り替え（処理ＳＢ２１１）、制御回路５９における電源ＯＦＦ時の記録再生処理ＳＢを終了する。
【０１０５】
一方、処理ＳＢ２０６の判定処理において、電源ＯＮ信号の入力が検出されなかった場合、制御回路５９の状態判定部５９４は、図１２に示すように、光源ランプ２１６の状態を監視し（処理ＳＢ２１２）、温度センサ６３からの温度測定結果に基づいて、光源ランプ２１６の冷却が完了したか否かを判定する（処理ＳＢ２１３）。
ここで、状態判定部５９４が、温度センサ６３から出力される光源ランプ２１６の温度が、所定の温度以上であると判定した場合は、光源ランプ２１６の冷却が完了していないと見做して、処理ＳＢ２１２に戻り、光源ランプ２１６の状態監視を継続する。
【０１０６】
一方、状態判定部５９４が、光源ランプ２１６の温度が所定の温度未満であると判定した場合は、光源ランプ２１６の冷却が完了したと見做し、処理ＳＢ２０７により起動したタイマ５９５を監視して（処理ＳＢ２１４）、前述の光源駆動回路６２から検出信号が入力してからの時間を判定する（処理ＳＢ２１５）。
ここで、状態判定部５９４が、タイマ５９５によって示される経過時間が所定の時間未満であると判定した場合は、処理ＳＢ２１４に戻って、タイマ監視を継続する。
【０１０７】
一方、状態判定部５９４が、タイマ５９５によって示される経過時間が所定の時間以上であると判定した場合は、光源ランプ２１６を冷却するのに十分な時間が経過したと見做し、当該状態判定部５９４は、信号生成部５９２の録画終了信号生成部５９２７に検出信号を出力する。当該検出信号が入力した録画終了信号生成部５９２７は、記録再生回路５６によるリングバッファ５７への画像／音声情報の記録を終了させる録画終了信号を生成し、録画終了信号出力部５９３７は、生成された録画終了信号を記録再生回路５６に出力する（処理ＳＢ２１６）。この後、制御回路５９は、当該制御回路５９における電源ＯＦＦ時の記録再生処理ＳＢを終了する。
【０１０８】
また、処理ＳＢ３０３にて再生開始信号の入力を検出していないと判定した記録再生回路５６は、当該記録再生回路５６の入力信号検出部５６１を構成する録画終了信号検出部５６１２により、制御回路５９から録画終了信号が入力したか否かを判定する（処理ＳＢ３０５）。
ここで、録画終了信号の入力を検出しなかった場合、記録再生回路５６は、処理ＳＢ３０３に戻って、画像／音声情報の記録を継続しつつ、再生開始信号を含む信号の入力待機および判定を行う。
【０１０９】
一方、録画終了信号の入力を検出した場合、当該録画終了信号検出部５６１２は、制御部５６４の記録規制部５６４２に検出信号を出力する。そして、当該検出信号が入力した記録規制部５６４２は、入力情報記録部５６２の情報記録部５６２１およびＣＭ検出部５６２２に制御信号を出力する。この制御信号が入力した情報記録部５６２１は、リングバッファ５７への画像／音声情報の記録を終了し（処理ＳＢ３０６）、また、当該制御信号が入力したＣＭ検出部５６２２は、入力情報からのＣＭ検出を終了する。以上により、記録再生回路５６は、当該記録再生回路５６における電源ＯＦＦ時の記録再生処理ＳＢを終了する。
【０１１０】
以上のような、電源ＯＦＦ時の記録再生処理ＳＢにより、当該電源ＯＦＦに伴う光源ランプ２１６の消灯に応じて、放送信号に含まれる画像／音声情報を記録しておくことができるので、時間のかかる光源ランプ２１６の再点灯時においても、使用者が所望の番組を見逃すことを防ぐことができる。
ここで、光源ランプ２１６には、放電光源である高圧水銀ランプが採用されており、この高圧水銀ランプは、一度消灯してしまうと内部のガスが均一に分散するまで、光源駆動回路６２は、点灯開始信号の出力および電圧の印加を待機する必要がある。このため、光源ランプ２１６を再点灯させる場合には、消灯安定化した光源ランプ２１６を点灯させる場合に比べ、多くの時間を要することとなる。
【０１１１】
これに対し、光源ランプ２１６の消灯を示す消灯完了信号が光源駆動回路６２から出力されたことを制御回路５９の消灯完了信号検出部５９１４が検出し、録画開始信号を生成出力することにより、記録再生回路５６が光源ランプ２１６の消灯時からの放送信号に含まれる画像／音声情報の記録を行うことができる。これによれば、時間のかかる光源ランプ２１６の再点灯時においても、当該光源ランプ２１６の点灯が安定化するまでに放送されたテレビ番組を、使用者が見逃すことを防ぐことができる。従って、使用者の所望の番組をプロジェクションテレビ１にて確実に視聴することができる。
【０１１２】
以上のような本実施形態のプロジェクションテレビ１によれば、以下の効果を奏することができる。
制御回路５９の点灯開始信号検出部５９１３が、光源ランプ２１６を点灯させる点灯開始信号の光源駆動回路６２からの出力されたことを検出すると、録画開始信号生成部５９２４が録画開始信号を生成して、生成した録画開始信号を、録画開始信号出力部５９３４を介して記録再生回路５６に出力する。当該録画開始信号の入力を検出した記録再生回路５６の情報記録部５６２１は、制御部５６４を構成する記録開始部５６４１の制御により、放送信号に含まれる画像／音声情報をリングバッファ５７に記録する。
【０１１３】
一方、制御回路５９の点灯完了信号検出部５９１５が、光源駆動回路６２から光源ランプ２１６の点灯が安定化したことを示す点灯完了信号を検出すると、再生開始信号生成部５９２５が記録した画像／音声情報の再生を促す再生開始信号を生成して、当該再生開始信号を、再生開始信号出力部５９３５を介して、記録再生回路５６に出力する。当該再生開始信号の入力を検出した記録再生回路５６は、再生開始部５６４３の制御により、リングバッファ５７に記録された画像／音声情報を再生する。当該再生された音声情報は、スイッチ５３２を介して音声処理回路５３に出力され、当該音声情報に応じた音声が出力される。また、当該再生された画像情報は、スイッチ５４２を介して画像処理回路５４に出力され、液晶駆動回路５５を介して、光学ユニット２の液晶パネル２４１により、当該画像情報に応じた画像が形成表示される。
【０１１４】
これによれば、光源ランプ２１６の点灯が開始されてから放送された放送信号に含まれる画像／音声情報をリングバッファ５７に記録し、当該光源ランプ２１６の点灯が完了してから記録した画像／音声情報の再生が行われるので、光源ランプ２１６の点灯が開始されてから放送された放送番組の画像表示および音声出力を行うことができる。従って、画像表示できない期間に放送された放送番組を、使用者が見逃すことを防止することができる。
【０１１５】
また、操作パネル６４から放送画像表示ボタン６４２の入力に応じた表示切替信号、および、リモコンインターフェース６５から同等の表示切替信号が制御回路５９に入力した場合に、当該表示切替信号は、表示切替信号検出部５９１６により検出される。そして、制御回路５９は、現在放送中の放送信号に含まれる画像／音声情報に応じた画像表示および音声出力を行うべく、画像処理回路５４および音声処理回路５３のスイッチ５４２，５３２に対して、切替信号生成部５９２３および切替信号出力部５９３３により、切替信号を生成出力する。さらに、制御回路５９は、再生終了信号生成部５９２６および再生終了信号出力部５９３６により、記録再生回路５６に再生終了信号を出力する。そして、当該再生終了信号の入力を検出した記録再生回路５６では、再生規制部５６４４が、記録情報再生部５６３による記録された画像／音声情報の再生が規制される。
これによれば、使用者の操作に応じて、記録情報再生部５６３によるリングバッファ５７に記録された画像／音声情報の再生が規制され、当該記録された画像／音声情報の再生から、現在放送中の放送信号に含まれる画像／音声情報に基づく画像表示および音声出力に切り替えることができる。従って、使用者の所望のタイミングで放送中の放送番組の表示に切り替えることができる。
【０１１６】
さらに、使用者により再生種別として時間短縮再生が選択されている場合には、記録再生回路５６の時短再生部５６３２により、リングバッファ５７に記録された画像／音声情報の時間短縮再生が行われる。この際、再生位置判定部５６３３により、情報記録部５６２１によるリングバッファ５７への記録位置と、時短再生部５６３２によるリングバッファ５７からの読込位置すなわち再生位置とを判定する。そして、再生位置判定部５６３３が記録位置と再生位置とが一致すると判定した場合、前述の表示切替信号が入力した場合と同様に、再生規制部５６４４は、リングバッファ５７に記録された画像／音声情報の再生を規制し、制御回路５９は、現在放送中の放送信号に含まれる画像／音声情報に基づく画像表示および音声出力に切り替える。
これによれば、リングバッファ５７に記録した画像／音声情報の認識可能な再生を行った後に、放送中の放送信号に含まれる画像／音声情報に基づく画像表示および音声出力に確実に切り替えることができる。従って、使用者が所望する放送番組を見逃すことを、より一層防止することができる。
【０１１７】
加えて、記録再生回路５６の入力情報記録部５６２を構成するＣＭ検出部５６２２が、入力する放送信号のコンテンツがＣＭに切り替わったことを検出すると、ＣＭに切り替わったタイミングで、フラグ記録部５６２３がリングバッファ５７にＣＭフラグを記録する。そして、記録情報再生部５６３のフラグ検出部５６３４は、リングバッファ５７に記録された画像／音声情報の当該記録情報再生部５６３への入力に伴ってＣＭフラグの有無を判定し、当該ＣＭフラグを検出すると、再生規制部５６４４を介して、記録情報再生部５６３による画像／音声情報の再生を規制する。この際、再生規制部５６４４は、再生完了信号生成部５６５および再生完了信号出力部５６６を介して、再生完了信号を制御回路５９に出力する。そして、当該再生完了信号の入力を検出した制御回路５９は、音声処理回路５３および画像処理回路５４のスイッチ５３２，５４２に切替信号を出力して、リングバッファ５７に記録された画像／音声情報に基づく画像表示および音声出力から、現在放送中の放送信号に含まれる画像／音声情報に基づく画像表示および音声出力に切り替える。
これによれば、記録された画像／音声情報の内容がＣＭに切り替わったタイミングで、現在放送中の放送信号に含まれる画像／音声情報に基づく画像表示および音声出力に切り替えることができる。従って、使用者が所望する放送番組の視聴にタイミング良く切り替えることができる。
【０１１８】
また、光源駆動回路６２により光源ランプ２１６が消灯されたことを、制御回路５９の消灯完了信号検出部５９１４が検出すると、録画開始信号生成部５９２４および録画開始信号出力部５９３４により、記録再生回路５６に録画開始信号が出力され、当該録画開始信号の入力を検出した記録再生回路５６は、当該信号入力時からの放送信号に含まれる画像／音声情報の記録を開始する。そして、制御回路５９に再び光源ランプ２１６の点灯開始信号が入力した場合には、記録再生回路５６の入力情報記録部５６２は、当該画像／音声情報の記録を継続し、光源ランプ２１６の点灯完了に伴って当該記録した画像／音声情報の再生を開始する。一方、制御回路５９に点灯開始信号が入力しない場合には、制御回路５９の状態判定部５９４が、温度センサ６３を参照して光源ランプ２１６の温度を取得するとともに、タイマ５９５を参照して経過時間を判定し、光源ランプ２１６が再び点灯されることがないと判定すると、記録再生回路５６による画像／音声情報の記録を規制する。
これによれば、通常点灯より多くの時間を要する光源ランプ２１６の再点灯時の点灯待機状態においても、記録再生回路５６の入力情報記録部５６２が画像／音声情報の記録を行うことにより、光源ランプ２１６が点灯できない期間に放送された放送信号に含まれる画像／音声情報を記録、再生することができる。従って、時間がかかる光源ランプ２１６の再点灯時においても、使用者が所望する放送番組を見逃すことを防ぐことができる。
【０１１９】
（５）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【０１２０】
前記実施形態では、記録手段として、リングバッファ５７を用いたが、本発明はこれに限るものではなく、他の記録手段を採用してもよい。すなわち、記録再生回路５６の記録情報再生部５６３を構成する再生位置判定部５６３３により、記録位置と再生位置とが認識可能に構成されている記録手段であれば、他のものでもよい。例えば、磁気ディスク装置でもよい。
【０１２１】
前記実施形態では、制御基板５上に、記録再生回路５６と制御回路５９とをそれぞれ独立した回路として構成したが、本発明はこれに限らず、これらの機能を統合した１つの回路として構成してもよい。
【０１２２】
前記実施形態では、光学ユニット２が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル２４１を用いていたが、光入射面と光射出面とが同一となる反射型の液晶パネルを用いてもよい。
さらに、前記実施形態では、３つの液晶パネル２４１（２４１Ｒ，２４１Ｇ，２４１Ｂ）を用いたプロジェクションテレビ１の例のみを挙げたが、３つ未満、あるいは、４つ以上の液晶パネルを用いたプロジェクションテレビにも適用可能である。
【０１２３】
前記実施形態では、光変調装置としての液晶パネルを備えたプロジェクションテレビ１を例示したが、入射光束を画像情報に応じて変調して光学像を形成する光学変調装置であれば、他のものでもよい。例えば、マイクロミラーを用いたデバイスなど、液晶層以外の光学変調素子を用いたプロジェクションテレビにも、本発明を適用することも可能である。この場合、光束入射側および光束射出側の偏光板は、省略することができる。
【０１２４】
前記実施形態では、プロジェクションテレビとして、スクリーンを観察する方向とは反対側から画像投射を行なうリアタイプのプロジェクションテレビを挙げたが、本発明は、スクリーンを観察する方向から画像投射を行なうフロントタイプのプロジェクションテレビにも適用可能である。すなわち、テレビ放送を受信可能に構成されたフロントタイプのプロジェクションテレビに対して、本発明を適用することも可能である。
【産業上の利用可能性】
【０１２５】
本発明は、光源を有し、当該光源から射出される光束を利用して光学像を形成するプロジェクションテレビに利用することができ、特に光源として放電光源を有するプロジェクションテレビに好適に利用することができる。
【図面の簡単な説明】
【０１２６】
【図１】本発明の一実施形態に係るプロジェクションテレビを示す断面図。
【図２】前記実施形態における光学ユニットの光学系を示す模式図。
【図３】前記実施形態における制御基板の構成を示すブロック図。
【図４】前記実施形態における記録再生回路の機能分類を示すブロック図。
【図５】前記実施形態における制御回路の機能分類を示すブロック図。
【図６】前記実施形態における電源ＯＮ時の記録再生処理の処理フローを示す図。
【図７】前記実施形態における電源ＯＮ時の記録再生処理の処理フローを示す図。
【図８】前記実施形態における再生処理の処理フローを示す図。
【図９】前記実施形態における再生処理の処理フローを示す図。
【図１０】前記実施形態における電源ＯＦＦ時の記録再生処理の処理フローを示す図。
【図１１】前記実施形態における電源ＯＦＦ時の記録再生処理の処理フローを示す図。
【図１２】前記実施形態における電源ＯＦＦ時の記録再生処理の処理フローを示す図。
【符号の説明】
【０１２７】
１…プロジェクションテレビ、５…制御基板（制御手段）、７…筐体、２５…投射レンズ（投射光学装置）、５７…リングバッファ（記録手段）、６２…光源駆動回路（光源駆動手段）、６４…操作パネル（操作信号出力部）、６５…リモコンインターフェース（操作信号出力部）、２１６…光源ランプ（光源）、２４１（２４１Ｒ，２４１Ｇ，２４１Ｂ）…液晶パネル（光変調装置）、５４２…スイッチ（画像形成切替部）、５６２…入力情報記録部（画像情報記録部）、５６３…記録情報再生部（記録画像再生部）、５９１３…点灯開始信号検出部、５９１４…消灯完了信号検出部（光源消灯信号検出部）、５９１５…点灯完了信号検出部（点灯完了判定部）、５６２２…ＣＭ検出部（変更検出部）、５６２３…フラグ記録部（識別情報記録部）、５６３２…時短再生部（時間短縮再生部）、５６３３…再生位置判定部、５６３４…フラグ検出部（識別情報検出部）、５６４４…再生規制部（記録画像再生規制部）。
【図１】
2006324778.tif 000003
【図２】
2006324778.tif 000004
【図３】
2006324778.tif 000005
【図４】
2006324778.tif 000006
【図５】
2006324778.tif 000007
【図６】
2006324778.tif 000008
【図７】
2006324778.tif 000009
【図８】
2006324778.tif 000010
【図９】
2006324778.tif 000011
【図１０】
2006324778.tif 000012
【図１１】
2006324778.tif 000013
【図１２】
2006324778.tif 000014